(57)【要約】【課題】  利用者の入退場を判断する入退場判断装置を提供する。【解決手段】  入退場判断装置３００であって、入退場口１００において入場路１１０または退場路１２０のいずれか一方により近い位置に設置されたアンテナ３１０と、アンテナ３１０を介して、利用者２００が携帯している通信デバイス２１０と無線通信して、無線通信の電界強度を検出する無線通信部３２０と、無線通信部３２０と通信デバイス２１０とが無線通信した電界強度が、基準電界強度よりも大きい場合に、通信デバイス２１０が入場路１１０または退場路１２０のいずれかアンテナ３１０に近い方を通ったと判断し、基準電界強度よりも小さい場合に、通信デバイス２１０が入場路１１０または退場路１２０の他方を通ったと判断する入退場判断部３３０とを備える。【選択図】図２
2005092815.tif 000002
【特許請求の範囲】
【請求項１】
利用者が入場する場合に通る入場路および前記利用者が退場する場合に通る退場路を有する入退場口において、前記入場路または前記退場路のいずれか一方により近い位置に設置されたアンテナと、
前記アンテナを介して、前記利用者が携帯している通信デバイスと無線通信して、無線通信の電界強度を検出する無線通信部と、
前記無線通信部と前記通信デバイスとが無線通信した前記電界強度が、前記通信デバイスが前記入場路と前記退場路との境界に置かれて無線通信したときの電界強度よりも大きい場合に、前記通信デバイスが前記入場路または前記退場路のいずれか前記アンテナに近い方を通ったと判断し、前記無線通信部と前記通信デバイスとが無線通信した前記電界強度が、前記通信デバイスが前記境界に置かれて無線通信したときの前記電界強度よりも小さい場合に、前記通信デバイスが前記入場路または前記退場路の他方を通ったと判断する入退場判断部と
を備える入退場判断装置。
【請求項２】
前記無線通信部が検出した前記電界強度の履歴を、前記通信デバイスを特定する情報に対応付けて格納する通信履歴格納部を更に備え、
前記入退場判断部は、前記通信デバイスに対応付けて前記通信履歴格納部に格納された前記電界強度の最大値が、前記通信デバイスが前記境界に置かれて無線通信したときの前記電界強度よりも大きい場合に、前記通信デバイスが前記入場路または前記退場路のいずれか前記アンテナに近い方を通ったと判断し、前記最大値が、前記通信デバイスが前記境界に置かれて無線通信したときの前記電界強度よりも小さい場合に、前記通信デバイスが前記入場路または前記退場路の他方を通ったと判断する請求項１に記載の入退場判断装置。
【請求項３】
前記入退場判断部は、前記無線通信部が前記アンテナを介して前記通信デバイスと通信していた時間が、前記通信デバイスが前記境界を通ったときに通信可能な時間よりも長い場合に、前記通信デバイスが前記入場路または前記退場路のいずれか前記アンテナに近い方を通ったと判断し、前記無線通信部が前記アンテナを介して前記通信デバイスと通信していた時間が、前記通信デバイスが前記境界を通ったときに通信可能な前記時間よりも短い場合に、前記通信デバイスが前記入場路または前記退場路の他方を通ったと判断する請求項１に記載の入退場判断装置。
【請求項４】
前記無線通信部は、電磁波の電界強度を周期的に変動させて、前記電磁波を前記アンテナから発信し、
前記入退場判断部は、前記通信デバイスが前記境界に置かれたときに通信可能な電磁波の電界強度より前記アンテナから発信された電磁波の電界強度が小さくても、前記無線通信部が前記通信デバイスと通信可能である場合に、前記通信デバイスが前記入場路または前記退場路のいずれか前記アンテナに近い方を通ったと判断し、前記通信デバイスが前記境界に置かれたときに通信可能な電磁波の前記電界強度よりも前記アンテナから発信された前記電磁波の前記電界強度が大きいときのみ、前記無線通信部が前記通信デバイスと通信可能である場合に、前記通信デバイスが前記入場路または前記退場路の他方を通ったと判断する請求項１に記載の入退場判断装置。
【請求項５】
前記入退場口には、前記利用者が前記入場路から入場し、前記退場路から退場すべく、一方向にのみ回転する回転ドアが設けられ、
前記アンテナは、前記回転ドアにおいて前記入場路および前記退場路の外側であっていずれか一方により近い位置に配置される請求項１に記載の入退場判断装置。
【請求項６】
前記利用者の行先を表示する行先表示部を更に備え、
前記行先表示部は、前記入退場判断部により前記利用者が入場したか退場したかが判断された場合に、その旨を、前記利用者を特定する情報と共に表示する請求項１から５に記載の入退場判断装置。
【発明の詳細な説明】
【技術分野】
【０００１】
本発明は、入退場判断装置に関する。本発明は、利用者の入退場を判断する入退場判断装置に関する。
【背景技術】
【０００２】
従来、利用者が携帯しているＩＣカードに格納された情報を読み取るＩＣカードリーダ／ライタが構内への入退場口に設置され、このＩＣカードリーダ／ライタが読み取った情報に基づいて利用者が入退場口を通過したことを検知し、利用者の行先を表示する行先表示装置が知られている（例えば、特許文献１参照）。
【特許文献１】特開２００２−４９９７２号公報（段落「００５９」）
【発明の開示】
【発明が解決しようとする課題】
【０００３】
しかしながら、上記行先表示装置において、利用者が入退場口を通過した場合に利用者が構内へ入場したか構外へ退場したかは、二つのＩＣカードリーダ／ライタを用いて判断される。例えば、特許文献１の行先表示装置においては、一つの入退場口に対して入口と出口のそれぞれにＩＣカードリーダ／ライタが設置され、入口に設置されたＩＣカードリーダ／ライタからＩＣカードの情報が読み取られた場合に利用者が構内に入場したと判断し、出口に設置されたＩＣカードリーダ／ライタからＩＣカードの情報が読み取られた場合に利用者が構外へ退場したと判断する。よって、一つの入退場口に対して二つまたはそれ以上のＩＣカードリーダ／ライタを設置するので、その費用が高くなり、また、利用者がいずれか一方のみから情報を読み取らせるために、入口または出口のいずれかに設置されたＩＣカードリーダ／ライタにＩＣカードをかざすという手間がかかる。
【課題を解決するための手段】
【０００４】
上記課題を解決するために、本発明の第１の形態においては、入退場判断装置であって、利用者が入場する場合に通る入場路および利用者が退場する場合に通る退場路を有する入退場口において、入場路または退場路のいずれか一方により近い位置に設置されたアンテナと、アンテナを介して、利用者が携帯している通信デバイスと無線通信して、無線通信の電界強度を検出する無線通信部と、無線通信部と通信デバイスとが無線通信した電界強度が、通信デバイスが入場路と退場路との境界に置かれて無線通信したときの電界強度よりも大きい場合に、通信デバイスが入場路または退場路のいずれかアンテナに近い方を通ったと判断し、無線通信部と通信デバイスとが無線通信した電界強度が、通信デバイスが境界に置かれて無線通信したときの電界強度よりも小さい場合に、通信デバイスが入場路または退場路の他方を通ったと判断する入退場判断部とを備える。これにより、入退場判断装置は、通信デバイスがいずれの通路を通ったかを、通信デバイスより受信した電界強度と通信デバイスが境界に置かれて無線通信したときの電界強度とを比較することにより、適切に判断することができる。よって、一つの入退場口に対して一つ設置された入退場判断装置により、利用者が入場したかまたは退場したかを判断することができる。
【０００５】
上記入退場判断装置において、無線通信部が検出した電界強度の履歴を、通信デバイスを特定する情報に対応付けて格納する通信履歴格納部を更に備え、入退場判断部は、通信デバイスに対応付けて通信履歴格納部に格納された電界強度の最大値が、通信デバイスが境界に置かれて無線通信したときの電界強度よりも大きい場合に、通信デバイスが入場路または退場路のいずれかアンテナに近い方を通ったと判断し、最大値が、通信デバイスが境界に置かれて無線通信したときの電界強度よりも小さい場合に、通信デバイスが入場路または退場路の他方を通ったと判断してもよい。これにより、通信デバイスがアンテナの最も近くを通過した場合における電界強度に基づいて、入退場判断装置は、通信デバイスがいずれの通路を通ったかを判断することができる。
【０００６】
上記入退場判断装置において、入退場判断部は、無線通信部がアンテナを介して通信デバイスと通信していた時間が、通信デバイスが境界を通ったときに通信可能な時間よりも長い場合に、通信デバイスが入場路または退場路のいずれかアンテナに近い方を通ったと判断し、無線通信部がアンテナを介して通信デバイスと通信していた時間が、通信デバイスが境界を通ったときに通信可能な時間よりも短い場合に、通信デバイスが入場路または退場路の他方を通ったと判断してもよい。これにより、入退場判断装置は、通信デバイスより受信した電界強度が、通信デバイスが境界に置かれて無線通信したときの電界強度よりも大きな場合に、アンテナのより近くを通ったと判断することに加え、通信デバイスとの無線通信が、通信デバイスが境界を通ったときに通信可能な時間よりも長い場合に、アンテナにより近い経路を通ったと判断することで、電子デバイスがアンテナの近くの経路を通ったことを確実に判断することができる。
【０００７】
上記入退場判断装置において、無線通信部は、電磁波の電界強度を周期的に変動させて、電磁波をアンテナから発信し、入退場判断部は、通信デバイスが境界に置かれたときに通信可能な電磁波の電界強度よりアンテナから発信された電磁波の電界強度が小さくても、無線通信部が通信デバイスと通信可能である場合に、通信デバイスが入場路または退場路のいずれかアンテナに近い方を通ったと判断し、通信デバイスが境界に置かれたときに通信可能な電磁波の電界強度よりもアンテナから発信された電磁波の電界強度が大きいときのみ、無線通信部が通信デバイスと通信可能である場合に、通信デバイスが入場路または退場路の他方を通ったと判断してもよい。これにより、入退場判断装置は、受信した電磁波の電界強度を測定しなくても、通信デバイスとの無線通信の有無を検出することにより、通信デバイスが通過した経路を判断することができる。
【０００８】
上記入退場判断装置において、入退場口には、利用者が入場路から入場し、退場路から退場すべく、一方向にのみ回転する回転ドアが設けられ、アンテナは、回転ドアにおいて入場路および退場路の外側であっていずれか一方により近い位置に配置されてよい。これにより、回転ドアにおいて入退場判断装置が使用される場合、利用者は、回転ドアが回転する方向に従って、入場路に沿って入場し、回転ドアが回転する方向に従って、退場路に沿って退場するので、入退場判断装置は、通信デバイスを携帯した利用者が入場したのか退場したのかを確実に判断することができる。
【０００９】
上記入退場判断装置において、利用者の行先を表示する行先表示部を更に備え、行先表示部は、入退場判断部により利用者が入場したか退場したかが判断された場合に、その旨を、利用者を特定する情報と共に表示してよい。これにより、入退場判断装置は、いずれの利用者が入場または退場したかを行先表示部に表示することができる。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１は、利用者２００が入退場する入退場口１００に設置された、本発明の実施形態に係る入退場判断装置３００の一例を示す概略図である。入退場口１００は、境界１３０により入場路１１０および退場路１２０に区別されており、入場路１１０および退場路１２０のそれぞれには、入場すべき方向および退場すべき方向を示す矢印が描かれている。利用者２００は、これらの矢印に沿って、入場路１１０を通って入退場口１００から構内へ入場し、退場路１２０を通って入退場口１００から構外へ退場する。
【００１３】
利用者２００は、通信デバイス２１０を携帯しており、入退場判断装置３００は、利用者２００が入退場口１００を通過する場合に、利用者２００が携帯している通信デバイス２１０と無線通信する。入退場判断装置３００は、電磁波を送受信するアンテナ３１０と、受信した電磁波に基づいて、通信デバイス２１０が通った経路を判断する本体３０２とを備える。アンテナ３１０は、入場路１１０および退場路１２０のいずれか一方により近い位置に設置される。図１に示す例において、アンテナ３１０は、退場路１２０よりも入場路１１０に近い位置に設置されている。アンテナ３１０および通信デバイス２１０から発信する電磁波の電界強度はそれぞれ空気中を伝播するにつれて減衰するので、入退場判断装置３００が通信デバイス２１０から受信した電磁波の電界強度は、通信デバイス２１０との距離が大きくなるほど小さくなる。これにより、本実施形態における入退場判断装置３００は、入退場口１００において利用者２００が入場したか、または退場したかを判断する。
【００１４】
図２は、通信デバイス２１０の構成の一例を示す。通信デバイス２１０は、本体２１２の内部に、ループアンテナ２１４、ループアンテナ２１４の両端と電気的に接続された通信制御部２１６、および、通信制御部２１６により制御される識別情報記憶部２１８を備える。ループアンテナ２１４は、例えば本体２１２の略外縁に沿って設けられる。このループアンテナ２１４は、入退場判断装置３００から発信された電磁波を受信し、受信した電磁波の電界強度に応じた大きさの起電力を両端に生じる。
【００１５】
識別情報記憶部２１８は、通信デバイス２１０を特定する情報である通信デバイス特定情報を格納している。本実施形態における識別情報記憶部２１８は、通信デバイス特定情報として通信デバイス２１０を使用する利用者２００を管理するために定められたID番号を通信に先立って格納する。
【００１６】
通信制御部２１６は、ループアンテナ２１４を介して、入退場判断部３３０と無線通信する。この通信制御部２１６は、ループアンテナ２１４に生じた起電力により動作し、識別情報記憶部２１８から通信デバイス特定情報を読み出す。更に、通信制御部２１６は、読み出した通信デバイス特定情報を、予め定められた電界強度の電磁波で入退場判断装置３００へ送信する。
【００１７】
図３は、入退場判断装置３００の構成の一例を示す。入退場判断装置３００の本体３０２は、アンテナ３１０を介して通信デバイス２１０と無線通信する無線通信部３２０、通信デバイス２１０との無線通信に基づいて利用者２００の入退場を判断する入退場判断部３３０、通信デバイス２１０との通信履歴を格納する通信履歴格納部３４０、利用者２００の行先を表示する行先表示部３５０、および、利用者２００を識別する情報を格納する識別情報格納部３６０を有する。上述したように、アンテナ３１０は、退場路１２０よりも入場路１１０に近い位置に設置されている。このアンテナ３１０は、例えばダイポールアンテナであって、軸方向が鉛直方向に配され、時間に対して一定の電界強度で電磁波を全方位に出力する。更に、アンテナ３１０は、通信デバイス２１０から発信された電磁波を受信する。なお、アンテナ３１０は、入場路１１０の外側に設置されているが、入場路１１０の内側に設置されてもよい。更に他の例として、アンテナ３１０は、入場路１１０よりも退場路１２０に近い位置に設置されてもよい。
【００１８】
無線通信部３２０は、アンテナ３１０を介して電磁波を通信デバイス２１０に与えると共に、通信デバイス２１０から通信デバイス特定情報を受信する。更に、無線通信部３２０は、通信デバイス特定情報を受信した場合に、受信した電磁波の電界強度を検出し、検出した電磁波の電界強度を通信履歴格納部３４０へ書き込む。
【００１９】
通信履歴格納部３４０は、無線通信部３２０より順次通知される電界強度の履歴を、通信デバイス２１０の通信デバイス特定情報および時刻と対応づけて格納する。
【００２０】
入退場判断部３３０は、通信デバイス２１０が入場路１１０と退場路１２０との境界１３０に置かれて無線通信した場合に通信デバイス２１０から受信する電磁波の電界強度である基準電界強度を、無線通信に先立って格納している。更に、入退場判断部３３０は、通信履歴格納部３４０に格納された電界強度の履歴を参照し、通信履歴格納部３４０に格納された電界強度の最大値が、基準電界強度よりも大きい場合に、通信デバイス２１０がアンテナ３１０に近い入場路１１０を通ったと判断する。一方、入退場判断部３３０は、通信履歴格納部３４０に格納された電界強度の最大値が、基準電界強度よりも小さい場合に、通信デバイス２１０がアンテナ３１０から遠い退場路１２０を通ったと判断する。入退場判断部３３０は、通信デバイス２１０がいずれの経路を通ったかを示す入退場判断結果を、行先表示部３５０へ通知する。
【００２１】
識別情報格納部３６０は、利用者２００を特定する情報である利用者特定情報を、通信に先立って、通信デバイス特定情報と対応づけて格納している。入退場判断部３３０は、通信履歴格納部３４０から読み出した通信デバイス特定情報に基づいて、識別情報格納部３６０を参照することにより、通信デバイス特定情報に対応する利用者特定情報を識別情報格納部３６０から読み出し、読み出した利用者特定情報を行先表示部３５０へ通知する。行先表示部３５０は、入退場判断部３３０より通知された、利用者特定情報を、当該利用者２００が入場または退場した旨と共に表示する。
【００２２】
以上のように構成された入退場判断装置３００において、入退場判断部３３０は、通信デバイス２１０がいずれの通路を通ったかを、通信デバイス２１０より受信した電界強度の履歴から算出した最大値と、基準電界強度とを比較することにより判断することができる。これにより、通信デバイス２１０を携帯した利用者２００がアンテナ３１０の最も近くを通過した場合における電界強度に基づいて、入退場判断装置３００は、利用者２００がいずれの通路を通ったかを判断することができる。また、入退場判断部３３０により利用者２００が入場したか退場したかが判断された場合に、行先表示部３５０は、その旨を、利用者２００を特定する情報と共に表示することができる。これにより、入退場判断装置３００は、いずれの利用者２００が入場または退場したかを行先表示部３５０に表示することができる。
【００２３】
図４は、通信履歴格納部３４０において格納される、複数の通信デバイス特定情報のそれぞれに対応した電界強度の履歴の一例を示す。通信履歴格納部３４０は、通信デバイス特定情報のそれぞれに対応する電界強度を、時間と対応づけて格納する。なお、図４において、説明のため、通信履歴格納部３４０に格納されている電界強度が時間に対するグラフとして示されている。
【００２４】
通信デバイス２１０を携帯した利用者２００が入退場口１００を通過する場合に、通信履歴格納部３４０は、通信デバイス２１０から無線通信部３２０が受信した電磁波の電界強度および通信時間を格納する。この場合に、通信デバイス２１０が、アンテナ３１０へ近づくと、アンテナ３１０から電磁波を受信して、無線通信を行うのに十分な起電力が生じ、通信デバイス２１０とアンテナ３１０とは無線通信を開始する。更に、利用者２００がアンテナ３１０に近づくにつれてアンテナ３１０が通信デバイス２１０から受信する電磁波の電界強度が大きくなり、アンテナ３１０の真横を通過するときに最大値をとり、その後、利用者２００がアンテナ３１０に遠ざかるにつれて小さくなる。更に、通信デバイス２１０が、無線通信を行うのに十分な起電力を得られない程度に、アンテナ３１０から遠ざかると、通信デバイス２１０とアンテナ３１０とは無線通信を終了する。よって、通信履歴格納部３４０に格納された電界強度は、全体として上に凸の履歴を描く。例えば、通信デバイス２１０が、図１に示す境界１３０上を通って入場または退場した場合に、電界強度の履歴は図４の破線に示す上に凸の履歴となる。利用者２００の入退場の判断に先だって、入退場判断部３３０は、通信デバイス２１０が境界１３０上を通った場合に無線通信部３２０が受信する電磁波の電界強度の最大値を基準電界強度として記録しておく。
【００２５】
入退場判断部３３０は、予め定められた時間間隔で、順次、通信履歴格納部３４０に格納された通信デバイス２１０の通信デバイス特定情報に対応付けられた電界強度の履歴を読み出し、上に凸となる履歴における最大値を決定し、この最大値と基準電界強度とを比較する。通信デバイス２１０から受信する電界強度が、図４に一点鎖線で示す履歴となる場合に、入退場判断部３３０は、この通信デバイス２１０の電界強度として通信履歴格納部３４０に格納された履歴の中の最大値を、基準電界強度と比較する。図４に示す一点鎖線において、この通信デバイス２１０から受信した電磁波の電界強度の最大値が基準電界強度よりも大きいので、この場合に、入退場判断部３３０は、この一点鎖線の履歴を有する通信デバイス２１０が境界１３０よりも近い経路を通ったと判断する。図１に示す例において、入退場判断部３３０は、一点鎖線の履歴を示す通信デバイス特定情報を持つ通信デバイス２１０が入場路１１０を通って入場したと判断する。また、通信デバイス２１０より受信する電界強度の履歴が図４に実線で示す履歴となる場合に、入退場判断部３３０は、この履歴における最大値を基準電界強度と比較して、この最大値が基準電界強度よりも小さいので、この場合に、入退場判断部３３０は、実線の履歴を示す通信デバイス２１０が境界１３０よりも遠い経路を通ったと判断する。図１に示す例において、入退場判断部３３０は、実線の履歴を示す通信デバイス特定情報を持つ通信デバイス２１０は、退場路１２０を通って退場したと判断する。
【００２６】
このように、通信履歴格納部３４０は、通信デバイス２１０がアンテナ３１０の最も近くを通過した時の電界強度を最大値として格納し、入退場判断部３３０は、この電界強度の最大値と、基準電界強度とを比較することにより、通信デバイス２１０がいずれの通路を通ったかを、適切に判断することができる。
【００２７】
なお、入退場判断部３３０は、通信履歴格納部３４０に格納された通信デバイス２１０の通信デバイス特定情報に対応付けられた電界強度の履歴の最大値を決定する代わりに、電界強度を順次読み出して基準電界強度とそれぞれ比較してもよい。この場合に、電界強度が基準電界強度を超えた時点で、入退場判断部３３０は、通信デバイス２１０が境界１３０よりも遠い経路を通ったと判断する。これにより、入退場判断部３３０は、通信デバイス２１０がいずれの経路を通過したか、特にアンテナ３１０に近い通路を通ったことをより早い時点で判断することができる。
【００２８】
更に、入退場判断部３３０は、入退場判断に先立って通信デバイス２１０が境界１３０を通過した場合に、無線通信が行われる時間Ｔｃを計測し、格納しておく。また、通信履歴格納部３４０は、一点破線が示す履歴および実線が示す履歴のそれぞれにおいて、無線通信が行われていた時間ＴｎおよびＴｆを記録する。入退場判断装置３００と通信デバイス２１０とは、通信デバイス２１０とアンテナ３１０との距離の遠近により無線通信の可否が定まるので、利用者２００の歩く速度が一定とすると、通信デバイス２１０がアンテナ３１０から近い距離を通過する場合に、通信時間は長くなる一方、通信デバイス２１０がアンテナ３１０から遠い距離を通過する場合に、通信時間は短くなる。従って、無線通信の時間Ｔｎが基準となる時間Ｔｃよりも長い場合、入退場判断部３３０は、通信デバイス２１０がアンテナ３１０により近い経路を通ったと判断する。一方、無線通信の時間Ｔｆが基準となる時間Ｔｃよりも短い場合に、入退場判断部３３０は、通信デバイス２１０が他方の経路を通ったと判断する。このように、入退場判断装置３００は、通信デバイス２１０より受信した電界強度を基準電界強度と比較して、アンテナ３１０に近い経路を通ったか否かと判断することに加え、通信デバイス２１０と無線通信できた時間を通信デバイス２１０が境界１３０を通ったときに通信可能な時間と比較することにより、アンテナ３１０により近い経路を通ったか否かを判断するので、通信デバイス２１０が通った経路を、より確実に判断することができる。
【００２９】
図５は、入退場判断装置３００の識別情報格納部３６０に格納された利用者特定情報を示す図である。識別情報格納部３６０は、通信に先立って、通信デバイス特定情報と利用者特定情報とを対応づけて格納する。本例において、識別情報格納部３６０は、利用者特定情報として氏名を格納している。識別情報格納部３６０は、通信デバイス２１０の利用者特定情報としてID番号を利用者２００の氏名と対応づけて格納している。通信デバイス２１０を携帯している利用者２００が入退場口１００を通過した場合、入退場判断装置３００の無線通信部３２０は、通信デバイス２１０のID番号を通信デバイス２１０から受信して、通信履歴格納部３４０に書き込む。入退場判断部３３０は、通信履歴格納部３４０に書き込まれているＩＤ番号を読み出し、識別情報格納部３６０を参照して、ID番号に対応する氏名を取得する。なお、識別情報格納部３６０は、入退場判断装置３００において独立したデータベースを構成する場合に限られず、通信履歴格納部３４０と同一のデータベースであってもよい。また、利用者２００が会社の従業員である場合に、識別情報格納部３６０は、利用者２００の情報を社員ＩＤ等の利用者２００を特定する情報に対応付けて格納する会社の従業員のデータベースと兼用されていてもよい。
【００３０】
図６は、入退場判断装置３００の他の例において、電界強度の変化および無線通信の可否を説明する図である。図６（ａ）は、アンテナ３１０が送信する電磁波の電界強度を時間に対して示したグラフである。
【００３１】
図６に示す例において、無線通信部３２０は、電磁波の電界強度を周期的に変動させてアンテナ３１０から発信する。この場合、無線通信部３２０は、電磁波の電界強度を、境界１３０に通信デバイス２１０が置かれた場合に入退場判断装置３００との通信が可能な最小の電界強度Iｃに対して大小に変動させて発信する。また、無線通信部３２０は、通信デバイス２１０が入退場口１００を通過する速度に対して、十分に小さな周期で電界強度を変動させる。無線通信部３２０は、通信デバイス２１０が入退場口１００を通過するの必要な時間の例えば１００分の１から１万分の１の程度の周期で、電界強度を変化させる。
【００３２】
図６（ｂ）は、図６（ａ）に示す電磁波を発信した入退場判断装置３００とこの電磁波に基づいて入退場判断装置３００と通信デバイス２１０とが無線通信できたか否かを示す。通信履歴格納部３４０は、通信デバイス２１０と無線通信できたか否かを、アンテナ３１０から発信した電磁波の電界強度と共に格納する。
【００３３】
入退場判断装置３００と通信デバイス２１０とは、通信デバイス２１０とアンテナ３１０との距離の遠近により無線通信の可否が定まるので、電界強度Ｉｃよりアンテナ３１０から発信された電磁波の電界強度が小さくても、無線通信部３２０が通信デバイス２１０と通信可能である場合に、入退場判断部３３０は、通信デバイス２１０がアンテナ３１０に近い経路を通ったと判断する。例えば図６（ｂ）の実線で示すように、アンテナ３１０から電界強度Ｉｃよりも小さい電界強度Iｎの電磁波が出力されているときに、通信デバイス２１０と入退場判断装置３００とが無線通信できた場合に、入退場判断部３３０は、通信デバイス２１０が境界１３０よりもアンテナ３１０に近い経路を通ったと判断する。
【００３４】
一方、電界強度Ｉｃよりアンテナ３１０から発信された電磁波の電界強度が大きいときのみ無線通信部３２０が通信デバイス２１０と通信できた場合に、入退場判断部３３０は、通信デバイス２１０がアンテナ３１０からより遠い方の経路を通ったと判断する。例えば図６（ｂ）の破線で示すように、電界強度Ｉｃよりも大きい電界強度Iｆを出力しているときのみ入退場判断装置３００が通信デバイス２１０と通信可能である場合に、入退場判断部３３０は、通信デバイス２１０が境界１３０よりもアンテナ３１０に遠い経路を通ったと判断する。
【００３５】
このように、入退場判断部３３０は、電磁波の周期的に電界強度を変化させた電磁波を出力し、出力した電界強度と、通信デバイス２１０の無線通信の可否とに基づいて、通信デバイス２１０が通過した経路を判断することができる。
【００３６】
図７は、行先表示部３５０が利用者２００の行先を表示する一例である。入退場判断部３００は、通信デバイス２１０の入場または退場を判断した場合に、識別情報格納部３６０を参照して、行先表示部３５０に、この通信デバイス２１０を携帯している利用者２００を特定する情報としての氏名と共に、この利用者２００が入場または退場した旨および入場または退場した時刻を通知する。入退場判断部３３０は、入場または退場した時刻の一例として、この通信デバイス２１０の通信履歴において電界強度の最大値をとった時刻を通知する。この通知に基づき、行先表示部３５０は、利用者２００の氏名に対応付けて、入場した旨または退場した旨およびその時刻を表示する。これにより、入退場判断装置２００は、いずれの利用者２００が入場または退場したかを行先表示部３５０に表示することができる。
【００３７】
図８は、入退場判断装置３００が回転ドア１４０に設けられる例を示す。入退場口１００には、利用者２００が、入場路１１０から入場し、退場路１２０から退場すべく、一方向にのみ回転する回転ドア１４０が設けられる。アンテナ３１０は、回転ドア１４０において入場路１１０および退場路１２０の外側であっていずれか一方により近い位置に配置される。本例において、アンテナ３１０は、入場路１１０に近い位置に設置されている。
【００３８】
回転ドア１４０は、回転軸１４４および複数の回転羽１４２を有する。回転ドア１４０は、回転軸１４４を中心として一方向に回転し、複数の回転羽１４２によって利用者２００が通る経路を制限している。これにより、利用者２００は、退場路１２０から、入退場口１００へ入場することはできず、また入場路１１０から、入退場口１００へ入場することができない。よって、回転ドア１４０において入退場判断装置３００が使用される場合、利用者２００は、回転ドア１４０が回転する方向に従って入場路１１０から入場し、回転ドア１４０が回転する方向に従って、退場路１２０から退場するので、入退場判断装置３００は、通信デバイス２１０が通過した経路を適切に判断することができる。本例において、入退場判断装置３００は、アンテナ３１０に近い経路を通過した通信デバイス２１０を、入場路１１０を通ったと判断し、アンテナ３１０から遠い経路を通過した通信デバイス２１０を、退場路１２０を通ったと判断することができる。
【００３９】
また、本例において、回転ドア１４０は、略一定の速度で回転する。図４において、通信デバイス２１０との通信時間の長短から、通信デバイス２１０が通った経路を判断する方法を説明したが、回転ドア１４０においては、利用者２００が入場路１１０を通過する速度と、退場路１２０を通過する速度とは、略一定に保たれる。従って、回転ドア１４０においては、通信履歴格納部３４０は、図４を用いて説明した時間Ｔｃ、Ｔｎ、Ｔｆのそれぞれを、利用者２００が普段歩く速度によらずに計測することができる。このように、回転ドア１４０に設置された入退場判断装置３００において、通信デバイス２１０より受信した電界強度の強弱から、通信デバイス２１０が通った経路を判断することに加え、通信デバイス２１０との通信時間を計測することにより、通信デバイス２１０が通った経路を判断することができ、入退場をより正確に判断することができる。
【００４０】
また、上記実施形態において、入退場判断装置３００が敷地の構内と構外の入退場口１００に設置される例を示したが、これに限られず、例えば、入退場判断装置３００が、建物の内部における部屋のドアに設けられ、部屋への入退場を判断してもよい。
【００４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４２】
【図１】本発明の実施形態に係る入退場判断装置３００が入退場口１００に設置された例を示す概略図である。
【図２】通信デバイス２１０の構成の一例を示す。
【図３】入退場判断装置３００の構成の一例を示す。
【図４】通信履歴格納部３４０に格納された複数の電界強度の履歴を示す。
【図５】識別情報格納部３６０に格納された、利用者特定情報を示す。
【図６】入退場判断装置３００の他の例において、電界強度の変化および無線通信の可否を示す。
【図７】行先表示部３５０が利用者２００の行先を表示する一例である。
【図８】入退場判断装置３００が回転ドア１４０に設置された例を示す概略図である。
【符号の説明】
【００４３】
１００  入退場口、１１０  入場路、１２０  退場路、１３０  境界、１４０  回転ドア、１４２  回転羽、１４４  回転軸、２００  利用者、２１０  通信デバイス、２１２  本体、２１４  ループアンテナ、２１６  通信制御部、２１８  識別情報記憶部、３００  入退場判断装置、３０２  本体、３１０  アンテナ、３２０  無線通信部、３３０  入退場判断部、３４０  通信履歴格納部、３５０  行先表示部、３６０  識別情報格納部
【図１】
2005092815.tif 000003
【図２】
2005092815.tif 000004
【図３】
2005092815.tif 000005
【図４】
2005092815.tif 000006
【図５】
2005092815.tif 000007
【図６】
2005092815.tif 000008
【図７】
2005092815.tif 000009
【図８】
2005092815.tif 000010